(57)【要約】【課題】  拡散板上への影の発生を抑制してディスプレイにおける輝度ムラの発生を抑制する。【解決手段】  表示面に画像が表示されるディスプレイと、ディスプレイへ向けて光を出射しバックライトを構成する複数の光源と、ディスプレイと複数の光源との間に配置され光源から出射された光を拡散する拡散板と、拡散板を挟んでディスプレイの反対側に配置されると共に拡散板に接触可能とされ拡散板を保持するサポートピンとを備え、サポートピンにおける拡散板側に位置する部分に透明な板状に形成された板状部が設けられ、複数の光源とサポートピンがディスプレイと拡散板が並ぶ方向に直交する方向において並んで配置され、板状部が最短距離にある光源を向くようにされた。【選択図】        図８
2014013690.tif 000002
【特許請求の範囲】
【請求項１】
表示面に画像が表示されるディスプレイと、
前記ディスプレイへ向けて光を出射しバックライトを構成する複数の光源と、
前記ディスプレイと前記複数の光源との間に配置され前記光源から出射された光を拡散する拡散板と、
前記拡散板を挟んで前記ディスプレイの反対側に配置されると共に前記拡散板に接触可能とされ前記拡散板を保持するサポートピンとを備え、
前記サポートピンにおける前記拡散板側に位置する部分に透明な板状に形成された板状部が設けられ、
前記複数の光源と前記サポートピンが前記ディスプレイと前記拡散板が並ぶ方向に直交する方向において並んで配置され、
前記板状部が最短距離にある前記光源を向くようにされた
表示装置。
【請求項２】
二つの前記光源の間に前記サポートピンが配置された
請求項１に記載の表示装置。
【請求項３】
前記サポートピンが前記二つの光源の間の中央部に配置された
請求項２に記載の表示装置。
【請求項４】
前記板状部の先端面が厚み方向に直交する幅方向において前記拡散板側に凸の曲面状に形成された
請求項１に記載の表示装置。
【請求項５】
前記板状部の先端面が厚み方向において前記拡散板側に凸の曲面状に形成された
請求項１に記載の表示装置。
【請求項６】
前記サポートピンに、所定の部材に取り付けられる被取付部と、前記板状部と前記被取付部の間に位置された連結部とが設けられ、
前記連結部の厚みが前記板状部の厚みより厚くされた
請求項１に記載の表示装置。
【発明の詳細な説明】
【技術分野】
【０００１】
本技術は、表示装置についての技術分野に関する。詳しくは、拡散板を保持するサポートピンに透明な板状に形成された板状部を設け板状部が最短距離にある光源を向くようにして拡散板上への影の発生を抑制してディスプレイにおける輝度ムラの発生を抑制する技術分野に関する。
【背景技術】
【０００２】
テレビジョン受像器やパーソナルコンピューター等の表示装置には、画像が表示される表示面を有するディスプレイとディスプレイへ向けて光を出射しバックライトを構成する光源と光源から出射された光を拡散する拡散板とが設けられたものがある。
【０００３】
このような表示装置においては、光源から出射された光が拡散板によって拡散されてディスプレイに入射される。ディスプレイには拡散板によって拡散された光が入射されるため、ディスプレイにおける輝度ムラの発生が抑制される。
【０００４】
上記のような表示装置には、拡散板の後方に拡散板を保持する複数のサポートピンが配置されているものがある（例えば、特許文献１参照）。
【０００５】
サポートピンは拡散板の後方に配置されたバックシャーシ等に取り付けられ、先端が拡散板の後面に接触可能とされている。サポートピンによって拡散板の変形（撓み）が抑制されて拡散板が保持され、拡散板が保持されることにより、光源から拡散板までの光学距離が一定に保たれ、良好な光学性能を確保することが可能になる。
【０００６】
また、サポートピンによって拡散板の変形が抑制されて前後方向への振動が抑制されることにより、拡散板の前側に位置された光学シートやディスプレイの傷付きを防止することも可能である。
【０００７】
【特許文献１】特開２０１１−３４９５６号公報
【発明の開示】
【発明が解決しようとする課題】
【０００８】
ところが、特許文献１に記載されたようなサポートピンが設けられた表示装置にあっては、サポートピンが拡散板の後方において光源と同じ空間に存在するため、光源から出射された光がサポートピンによって遮られる。サポートピンによって光が遮られると、拡散板にサポートピンの影が生じ、部分的にディスプレイの輝度が低下して輝度ムラが生じてしまうおそれがある。
【０００９】
特に、発光ダイオード（ＬＥＤ: Light Emitting Diode）等の指向性の高い光源が用いられた場合には、光源の高い指向性により拡散板にサポートピンの存在による影が生じ易い。
【００１０】
また、近年、一つの発光ダイオード等の光源から出射される光の量が増える傾向にあり、光源の数も、その分、低減される傾向にあり、光源の数が低減されると、ディスプレイの各部における輝度の差が生じ易くなり、輝度ムラが一層発生し易い状況にある。
【００１１】
そこで、従来の表示装置には、サポートピンを透明材料によって形成し、光がサポートピンを透過するように構成されたものがある。
【００１２】
しかしながら、サポートピンを透明材料によって形成した場合においても、サポートピンに光が入射されたときに拡散板においてサポートピンの外周部が投影された部分が他の部分に比して僅かに輝度の低い暗部になる。このときサポートピンの外周部の各部、例えば、両側部の距離が近いと暗部が重なって拡散板状に影が生じ、この影に起因してディスプレイの輝度が部分的に低下してしまい、ディスプレイにおける輝度ムラを十分に解消することができないおそれがある。
【００１３】
そこで、本技術表示装置は、上記した課題を解決し、拡散板上への影の発生を抑制してディスプレイにおける輝度ムラの発生を抑制することを課題とする。
【課題を解決するための手段】
【００１４】
第１に、表示装置は、上記した課題を解決するために、表示面に画像が表示されるディスプレイと、前記ディスプレイへ向けて光を出射しバックライトを構成する複数の光源と、前記ディスプレイと前記複数の光源との間に配置され前記光源から出射された光を拡散する拡散板と、前記拡散板を挟んで前記ディスプレイの反対側に配置されると共に前記拡散板に接触可能とされ前記拡散板を保持するサポートピンとを備え、前記サポートピンにおける前記拡散板側に位置する部分に透明な板状に形成された板状部が設けられ、前記複数の光源と前記サポートピンが前記ディスプレイと前記拡散板が並ぶ方向に直交する方向において並んで配置され、前記板状部が最短距離にある前記光源を向くようにされたものである。
【００１５】
従って、表示装置にあっては、サポートピンの外周部が投影されて形成された暗部が拡散板において離隔して位置される。
【００１６】
第２に、上記した表示装置においては、二つの前記光源の間に前記サポートピンが配置されることが望ましい。
【００１７】
二つの光源の間にサポートピンが配置されることにより、サポートピンの板状部の両面がそれぞれ二つの光源を向くようにされる。
【００１８】
第３に、上記した表示装置においては、前記サポートピンが前記二つの光源の間の中央部に配置されることが望ましい。
【００１９】
サポートピンが二つの光源の間の中央部に配置されることにより、板状部の両面に入射される光量が均一化される。
【００２０】
第４に、上記した表示装置においては、前記板状部の先端面が厚み方向に直交する幅方向において前記拡散板側に凸の曲面状に形成されることが望ましい。
【００２１】
板状部の先端面が厚み方向に直交する幅方向において拡散板側に凸の曲面状に形成されることにより、サポートピンが拡散板に接触されたときに曲面状に形成された先端面が拡散板に接触される。
【００２２】
第５に、上記した表示装置においては、前記板状部の先端面が厚み方向において前記拡散板側に凸の曲面状に形成されることが望ましい。
【００２３】
板状部の先端面が厚み方向において拡散板側に凸の曲面状に形成されることにより、サポートピンが拡散板に接触されたときに曲面状に形成された先端面が拡散板に接触される。
【００２４】
第６に、上記した表示装置においては、前記サポートピンに、所定の部材に取り付けられる被取付部と、前記板状部と前記被取付部の間に位置された連結部とが設けられ、前記連結部の厚みが前記板状部の厚みより厚くされることが望ましい。
【００２５】
サポートピンに、所定の部材に取り付けられる被取付部と、板状部と被取付部の間に位置された連結部とが設けられ、連結部の厚みが板状部の厚みより厚くされることにより、サポートピンの高い剛性が確保される。
【発明の効果】
【００２６】
本技術表示装置は、表示面に画像が表示されるディスプレイと、前記ディスプレイへ向けて光を出射しバックライトを構成する複数の光源と、前記ディスプレイと前記複数の光源との間に配置され前記光源から出射された光を拡散する拡散板と、前記拡散板を挟んで前記ディスプレイの反対側に配置されると共に前記拡散板に接触可能とされ前記拡散板を保持するサポートピンとを備え、前記サポートピンにおける前記拡散板側に位置する部分に透明な板状に形成された板状部が設けられ、前記複数の光源と前記サポートピンが前記ディスプレイと前記拡散板が並ぶ方向に直交する方向において並んで配置され、前記板状部が最短距離にある前記光源を向くようにされている。
【００２７】
従って、光源から光が出射されたときに板状部の外周部が投影されて暗部として形成される部分が重ならず、拡散板において影が生じないため、ディスプレイにおける輝度ムラの発生を抑制することができる。
【００２８】
請求項２に記載した技術にあっては、二つの前記光源の間に前記サポートピンが配置されている。
【００２９】
従って、拡散板における影の発生を防止してディスプレイにおける輝度ムラの発生を抑制することができると共に必要最小限の大きさのサポートピンを用いることが可能になり製造コストの低減を図ることができる。
【００３０】
請求項３に記載した技術にあっては、前記サポートピンが前記二つの光源の間の中央部に配置されている。
【００３１】
従って、板状部の両面に入射される光量が均一化され、ディスプレイにおける輝度ムラの発生を一層抑制することができる。
【００３２】
請求項４に記載した技術にあっては、前記板状部の先端面が厚み方向に直交する幅方向において前記拡散板側に凸の曲面状に形成されている。
【００３３】
従って、サポートピンが拡散板に接触したときの拡散板の傷付きを防止することができ、拡散板の良好な拡散機能を確保することができる。
【００３４】
請求項５に記載した技術にあっては、前記板状部の先端面が厚み方向において前記拡散板側に凸の曲面状に形成されている。
【００３５】
従って、サポートピンが拡散板に接触したときの拡散板の傷付きを防止することができ、拡散板の一層良好な拡散機能を確保することができる。
【００３６】
請求項６に記載した技術にあっては、前記サポートピンに、所定の部材に取り付けられる被取付部と、前記板状部と前記被取付部の間に位置された連結部とが設けられ、前記連結部の厚みが前記板状部の厚みより厚くされている。
【００３７】
従って、サポートピンの高い剛性を確保することができ、サポートピンによって拡散板を安定した状態で保持することができる。
【発明を実施するための最良の形態】
【００３８】
以下に、本技術表示装置を実施するための最良の形態を添付図面に従って説明する。
【００３９】
以下に示した最良の形態は、本技術表示装置をテレビジョン受像器に適用したものである。
【００４０】
尚、本技術の適用範囲はテレビジョン受像器に限られることはなく、例えば、パーソナルコンピューター、携帯端末装置、電子書籍等の表示部を有する各種の表示装置に広く適用することができる。
【００４１】
［表示装置の構成］
表示装置（テレビジョン受像器）１は、例えば、横長の扁平な略矩形状に形成され、筐体２に所要の各部が配置されている（図１及び図２参照）。表示装置１は、例えば、図示しないスタンドによって保持される。
【００４２】
筐体２は前側に位置されたベゼル３と後側に位置されたバックシャーシ４とを有している。
【００４３】
ベゼル３は略矩形の枠状に形成されている。
【００４４】
バックシャーシ４は前方に開口された浅い箱状に形成されている。バックシャーシ４の後面には図示しない制御基板が取り付けられている。制御基板は後述するディスプレイへの電流の供給や後述する光源への駆動電流の供給等を行うと共に表示装置１の全体の制御を行う制御回路として機能する。
【００４５】
バックシャーシ４には後方からリアカバー５が取り付けられている。リアカバー５は前方に開口された浅い箱状に形成され、リアカバー５によって制御基板が閉塞される。
【００４６】
ベゼル３の内周側にはディスプレイ６が配置されている。ディスプレイ６は、例えば、ガラス基板や偏光シート等が積層されて成る液晶パネルであり、前面が画像が表示される表示面６ａとして形成されている。
【００４７】
ディスプレイ６は略矩形状に形成され、外周部以外の部分が画像が表示される表示領域として設けられ、外周部がベゼル３に保持されている。ディスプレイ６の下端部には図示しない接続基板が設けられ、接続基板はバックシャーシ４の後面に取り付けられた制御基板に接続されている。
【００４８】
ディスプレイ６の後側には前側から順に光学シート７、７、・・・と拡散板８が配置されている。光学シート７、７、・・・は、例えば、拡散板８の前面側において積層された状態で配置されている。
【００４９】
光学シート７、７、・・・は光の拡散機能や光の進行方向の制御等の各機能を有し、光学シート７、７、・・・によってディスプレイ６における輝度の均一性や輝度の向上等が図られる。
【００５０】
拡散板８は光源から出射された光を拡散してディスプレイ６における輝度の均一性を図る機能を有している。
【００５１】
バックシャーシ４の前面にはライトソースと称される回路基板９、９、・・・が、例えば、上下に離隔して取り付けられている。尚、バックシャーシ４に図示しない取付部が設けられ、この取付部に回路基板９、９、・・・が取り付けられるように構成されていてもよい。
【００５２】
回路基板９、９、・・・は横長の形状に形成され、バックシャーシ４の後面に取り付けられた制御基板に接続されている。
【００５３】
回路基板９には左右に離隔して光源１０、１０、・・・が搭載されている。光源１０、１０、・・・としては、例えば、発光ダイオード（ＬＥＤ）が用いられている。光源１０、１０、・・・はそれぞれ光拡散レンズ１１、１１、・・・によって覆われている。
【００５４】
回路基板９にはサポートピン１２、１２、・・・が取り付けられている。サポートピン１２は、例えば、ポリカーボネート等の透明な樹脂材料によって形成されている。サポートピン１２の材料としては、一定の剛性を有し光や熱によって変色（黄変）しない材料が用いられることが望ましい。
【００５５】
サポートピン１２は左右に離隔して位置された光源１０、１０間の中央部に位置され、これらの光源１０、１０はサポートピン１２から最短距離にある光源１０、１０である。
【００５６】
サポートピン１２、１２、・・・は先端が拡散板８の後面に接触可能とされ、拡散板８の変形（撓み）を抑制して拡散板８を保持する機能を有している。
【００５７】
サポートピン１２は前後に延びる形状に形成され、後方側から順に設けられた被取付部１３と連結部１４と板状部１５を有している（図３乃至図６参照）。
【００５８】
被取付部１３は前後方向を向く板状に形成されている。被取付部１３の後面には後方へ突出された被取付突部１６が設けられている。
【００５９】
連結部１４は被取付部１３の前面から前方へ突出され、略円柱状に形成されている。
【００６０】
板状部１５は先端部１７が前方へ行くに従って幅が小さくなる形状に形成されている。板状部１５の先端部１７は先端面１７ａが厚み方向に直交する幅方向において前方に凸の曲面状に形成されている（図５参照）。
【００６１】
このようにサポートピン１２は板状部１５の先端面１７ａが厚み方向に直交する幅方向において前方に凸の曲面状に形成されているため、サポートピン１２が拡散板８に接触したときの拡散板８の傷付きを防止することができ、拡散板８の良好な拡散機能を確保することができる。
【００６２】
また、先端部１７は先端面１７ａが厚み方向において前方に凸の曲面状に形成されている（図６参照）。
【００６３】
従って、サポートピン１２、１２、・・・が拡散板８に接触したときの拡散板８の傷付きを防止することができ、拡散板８の一層良好な拡散機能を確保することができる。
【００６４】
さらに、サポートピン１２は連結部１４の厚みが板状部１５の厚みより厚くされている。
【００６５】
従って、サポートピン１２の高い剛性を確保することができ、サポートピン１２によって拡散板８を安定した状態で保持することができる。
【００６６】
サポートピン１２は被取付突部１６が回路基板９に形成された図示しない取付孔に挿入されて回路基板９に取り付けられ、先端面１７ａが拡散板８の後面に当接又は近接して位置される。
【００６７】
サポートピン１２は板状部１５の厚み方向が左右方向になるように回路基板９に取り付けられる。従って、サポートピン１２は板状部１５が左右に位置する最短距離にある光源１０、１０を向くようにされる。
【００６８】
バックシャーシ４の前面側には反射シート１８が配置される。反射シート１８には上下左右に離隔して配置孔１８ａ、１８ａ、・・・が形成されている。反射シート１８がバックシャーシ４の前面側に配置された状態において、配置孔１８ａ、１８ａ、・・・にそれぞれ光源１０、１０、・・・とサポートピン１２、１２、・・・が挿入されて配置され、光源１０、１０、・・・とサポートピン１２、１２、・・・が反射シート１８の前面から前方へ突出される。
【００６９】
［表示装置における光の出射］
上記のように構成された表示装置１において、光源１０、１０、・・・から光が出射されると、光が拡散板８によって拡散されてディスプレイ６にバックライトとして入射される。このとき光源１０、１０、・・・から出射された光の一部が反射シート１８によって反射され拡散板８を介してディスプレイ６に入射される。
【００７０】
光源１０、１０、・・・から光が出射されたときには、一部の光がサポートピン１２、１２、・・・に入射され、サポートピン１２、１２、・・・を透過されて拡散板８を介してディスプレイ６へ向かう（図７参照）。特に、サポートピン１２は板状部１５が他の部分より前側に位置されているため、光源１０から側方へ出射された光が板状部１５に入射され易い。
【００７１】
光源１０から出射された光がサポートピン１２の板状部１５に入射されると、拡散板８において板状部１５の外周部が投影される部分が他の部分に比して僅かに輝度が低い暗部Ａになる（図８参照）。
【００７２】
しかしながら、表示装置１においては、サポートピン１２の板状部１５が幅広に形成されているため、暗部が上下左右に離隔して位置され暗部同士が重ならず、拡散板８において影が生じない。
【００７３】
［まとめ］
以上に記載した通り、表示装置１にあっては、サポートピン１２における拡散板８側に位置する部分に透明な板状に形成された板状部１５が設けられ、複数の光源１０、１０、・・・とサポートピン１２、１２、・・・が前後方向に直交する方向において並んで配置され、板状部１５が最短距離にある光源１０を向くようにされている。
【００７４】
従って、光源１０から光が出射されたときに板状部１５の外周部が投影されて暗部として形成される部分が重ならず、拡散板８において影が生じないため、ディスプレイ６における輝度ムラの発生を抑制することができる。
【００７５】
尚、表示装置１において、ディスプレイ６の中央側の部分にはディスプレイ６の外周部に比較して光源１０、１０、・・・から出射された光が多くの方向から入射され易い。従って、より多くの方向からサポートピン１２、１２、・・・に光を入射させて影の発生を防止するためには、サポートピン１２、１２、・・・がバックシャーシ４の中央側に配置されることが望ましい。
【００７６】
また、表示装置１にあっては、二つの光源１０、１０の間にサポートピン１２が配置され、サポートピン１２の板状部１５の両面（厚み方向における両面）がそれぞれ二つの光源１０、１０を向くようにされている。
【００７７】
従って、拡散板８における影の発生を防止してディスプレイ６における輝度ムラの発生を抑制することができると共に必要最小限の大きさのサポートピン１２、１２、・・・を用いることが可能になり製造コストの低減を図ることができる。
【００７８】
さらに、サポートピン１２が光源１０、１０の間の中央部に配置されることにより、板状部１５の両面に入射される光量が均一化され、ディスプレイ６における輝度ムラの発生を一層抑制することができる。
【００７９】
尚、上記には、サポートピン１２の全体が透明に形成された例を示したが、サポートピン１２は少なくとも板状部１５が透明に形成されていればよく、板状部１５以外の他の部分が非透明に形成されていてもよい。
【００８０】
［本技術］
本技術は、以下のような構成にすることもできる。
【００８１】
（１）表示面に画像が表示されるディスプレイと、前記ディスプレイへ向けて光を出射しバックライトを構成する複数の光源と、前記ディスプレイと前記複数の光源との間に配置され前記光源から出射された光を拡散する拡散板と、前記拡散板を挟んで前記ディスプレイの反対側に配置されると共に前記拡散板に接触可能とされ前記拡散板を保持するサポートピンとを備え、前記サポートピンにおける前記拡散板側に位置する部分に透明な板状に形成された板状部が設けられ、前記複数の光源と前記サポートピンが前記ディスプレイと前記拡散板が並ぶ方向に直交する方向において並んで配置され、前記板状部が最短距離にある前記光源を向くようにされた表示装置。
【００８２】
（２）二つの前記光源の間に前記サポートピンが配置された前記（１）に記載の表示装置。
【００８３】
（３）前記サポートピンが前記二つの光源の間の中央部に配置された前記（２）に記載の表示装置。
【００８４】
（４）前記板状部の先端面が厚み方向に直交する幅方向において前記拡散板側に凸の曲面状に形成された前記（１）から前記（３）の何れかに記載の表示装置。
【００８５】
（５）前記板状部の先端面が厚み方向において前記拡散板側に凸の曲面状に形成された前記（１）から前記（４）の何れかに記載の表示装置。
【００８６】
（６）前記サポートピンに、所定の部材に取り付けられる被取付部と、前記板状部と前記被取付部の間に位置された連結部とが設けられ、前記連結部の厚みが前記板状部の厚みより厚くされた前記（１）から前記（５）の何れかに記載の表示装置。
【００８７】
上記した技術を実施するための最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【００８８】
【図１】図２乃至図８と共に本技術表示装置を示すものであり、本図は、表示装置の概略斜視図である。
【図２】表示装置の概略分解斜視図である。
【図３】サポートピンの拡大斜視図である。
【図４】サポートピンの拡大平面図である。
【図５】図４のＶ−Ｖ線に沿う断面図である。
【図６】図５のＶＩ−ＶＩ線に沿う断面図である。
【図７】光の出射状態を示す概念図である。
【図８】光源から出射された光がサポートピンに入射されたときの状態を示す模式図である。
【符号の説明】
【００８９】
１…表示装置、６…ディスプレイ、６ａ…表示面、８…拡散板、１０…光源、１２…サポートピン、１３…被取付部、１４…連結部、１５…板状部、１７ａ…先端面
【図１】
2014013690.tif 000003
【図２】
2014013690.tif 000004
【図３】
2014013690.tif 000005
【図４】
2014013690.tif 000006
【図５】
2014013690.tif 000007
【図６】
2014013690.tif 000008
【図７】
2014013690.tif 000009
【図８】
2014013690.tif 000010